【手続補正書】
【提出日】平成21年4月30日(2009.4.30)
【手続補正１】
【補正対象書類名】特許請求の範囲
【補正対象項目名】全文
【補正方法】変更
【補正の内容】
【特許請求の範囲】
【請求項１】
導電体を有する電気回路の電流を測定する電流センサであって、
前記導電体を受けるリング形磁性構造体であって、該リング形磁性構造体の内径が該導電体の直径に実質的に等しい、リング形磁性構造体と、
前記導電体を流れる電流により前記磁性構造体に発生する磁束を感知し、該導電体を流れる電流を表す信号を提供する磁束センサであって、前記リング形磁性構造体は該磁束センサを受ける空隙を備える、磁束センサと、
前記信号を前記磁束センサから取得し、該信号をデジタルセンサデータに変換するアナログ／デジタル変換器と、
前記デジタルセンサデータを受け取り、前記導電体を流れる電流の電気的障害を検出し、電気的障害データを提供するプロセッサと、
プリント基板であって、該プリント基板が前記磁束センサ、前記アナログ／デジタル変換器、および前記プロセッサを電気的に相互接続するように、はんだづけされる電気接続部で表面に支持される該磁束センサ、該アナログ／デジタル変換器、および該プロセッサを有する、プリント基板と、
前記リング形磁性構造体及び前記磁束センサ、前記アナログ／デジタル変換器および前記プロセッサのついた前記プリント基板、を封入するケースであって、前記電流センサが前記導電体に沿ってどこにでも位置決めできるように、該導電体が該リング形磁性構造体を通って通る入力の穴を至るところに有するケースとを備える、導電体を有する電気回路の電流を測定する電流センサ。
【請求項２】
前記磁束センサが、前記導電体を流れる電流の波形と振幅とをさらに測定し、該導電体を流れる電流の波形が広範囲の周波数を含むことを特徴とする、請求項１に記載の導電体を有する電気回路の電流を測定する電流センサ。
【請求項３】
前記プロセッサが、前記該導電体を流れる電流を表す信号からの漏れ電流をさらに検出することを特徴とする、請求項１に記載の導電体を有する電気回路の電流を測定する電流センサ。
【請求項４】
前記磁束センサが、ホール効果センサを含むことを特徴とする、請求項１に記載の導電体を有する電気回路の電流を測定する電流センサ。
【請求項５】
前記磁性構造体及び前記磁束センサを前記導電体の周囲に保持する保持手段をさらに備えることを特徴とする、請求項１に記載の導電体を有する電気回路の電流を測定する電流センサ。
【請求項６】
前記導電体の電圧を検出する電圧検出器をさらに備えることを特徴とする、請求項１に記載の導電体を有する電気回路の電流を測定する電流センサ。
【請求項７】
前記電圧検出器が、前記導電体を囲む半月形を有し、電圧が該導体に存在する場合に電圧信号を発生する導体ランドを基板上に備え、該電圧信号は、前記プロセッサにより受け取られることを特徴とする、請求項６に記載の導電体を有する電気回路の電流を測定する電流センサ。
【請求項８】
前記電気的障害データを送信する送信器をさらに備えることを特徴とする、請求項１に記載の導電体を有する電気回路の電流を測定する電流センサ。
【請求項９】
複数の前記リング形磁性構造体、前記磁束センサ、及び前記空隙のそれぞれをさらに備え、複数の導電体のうちの一本に対して、前記複数のリング形磁性構造体、前記複数の磁束センサ、及び前記複数の空隙のそれぞれがあることを特徴とする、請求項１に記載の導電体を有する電気回路の電流を測定する電流センサ。
【請求項１０】
前記複数のリング形磁性構造体のすべてを囲む大域的なリング形磁性構造体と、
すべての前記導電体を流れる電流により発生する磁束を評価する大域的な磁束センサと、
をさらに備え、
前記複数の導電体の各導体を流れる電流の差動読み取り値を測定することができることを特徴とする、請求項９に記載の導電体を有する電気回路の電流を測定する電流センサ。
【請求項１１】
前記複数の導電体が、線路導体三本と中性線一本を含むことを特徴とする、請求項１０に記載の導電体を有する電気回路の電流を測定する電流センサ。
【請求項１２】
前記アナログ／デジタル変換器が、前記プロセッサに含まれることを特徴とする、請求項１に記載の導電体を有する電気回路の電流を測定する電流センサ。
【請求項１３】
導電体を有する電気回路の電流を測定する電流センサであって、
前記導電体を受け取る磁性構造体と、
磁束センサであって、前記導電体と直列に配設されて、該導電体を流れる電流により前記磁性構造体に発生する磁束を感知し、ある期間の間の特定の時間の前記電流値を表す信号を提供する、磁束センサと、
前記磁束センサから前記期間の前記電流値の前記信号を取得し、該信号をデジタルセンサデータに変換するアナログ／デジタル変換器と、
前記デジタルセンサデータを受け取り、前記期間の前記電流値を用いて前記導電体の電気的障害を検出し、電気的障害信号を提供するプロセッサと、
プリント基板であって、該プリント基板が前記磁束センサ、前記アナログ／デジタル変換器、および前記プロセッサを電気的に相互接続するように、はんだづけされる電気接続部で表面に支持される該磁束センサ、該アナログ／デジタル変換器、および該プロセッサを有する、プリント基板と、
前記磁性構造体および前記磁束センサ、前記アナログ／デジタル変換器、および前記プロセッサを伴う前記プリント基板を封入して、前記導電体に沿ってどこにでも位置決めできる単一装置にするケース
とを備える、導電体を有する電気回路の電流を測定する電流センサ。
【請求項１４】
前記電気的障害信号に応答して前記導電体を切断し、それにより、前記電気回路をダメージから保護する電気スイッチをさらに備えることを特徴とする、請求項１３に記載の導電体を有する電気回路の電流を測定する電流センサ。
【請求項１５】
前記プロセッサが、前記信号からの漏れ電流をさらに計算することを特徴とする、請求項１３に記載の導電体を有する電気回路の電流を測定する電流センサ。
【請求項１６】
前記磁束センサが、前記電流の波形と振幅とをさらに測定し、該波形が広範囲の周波数を含むことを特徴とする、請求項１３に記載の導電体を有する電気回路の電流を測定する電流センサ。
【請求項１７】
前記磁束センサが、ホール効果センサを含むことを特徴とする、請求項１３に記載の導電体を有する電気回路の電流を測定する電流センサ。
【請求項１８】
前記導電体の電圧を検出する電圧検出器をさらに備えることを特徴とする、請求項１３に記載の導電体を有する電気回路の電流を測定する電流センサ。
【請求項１９】
前記デジタルセンサデータを送信する送信器をさらに備えることを特徴とする、請求項１３に記載の導電体を有する電気回路の電流を測定する電流センサ。
【請求項２０】
前記磁束センサを複数個さらに備え、複数の導電体のうちの一本に対して、該複数の磁束センサのそれぞれがあることを特徴とする、請求項１３に記載の導電体を有する電気回路の電流を測定する電流センサ。
【請求項２１】
前記導電体が、線路導体と中性線であることを特徴とする、請求項２０に記載の導電体を有する電気回路の電流を測定する電流センサ。
【請求項２２】
前記アナログ／デジタル変換器が、前記プロセッサに含まれることを特徴とする、請求項１３に記載の導電体を有する電気回路の電流を測定する電流センサ。
【請求項２３】
電流監視システムであって、
導電体及び識別子がそれぞれ関連付けられる複数の電流センサであって、該複数の電流センサのそれぞれが、
前記導電体を受ける磁性構造体であって、該磁性構造体が該導電体に沿って位置決めできる磁性構造体と、
前記導電体に直列に配設された磁束センサであって、該導電体を流れる電流により前記磁性構造体に発生する磁束を感知して、ある期間の間の特定の時間の該電流の値を表す信号を提供する磁束センサと、
前記期間の間の前記電流の前記値の前記信号を前記磁束センサから取得し、該信号をデジタルセンサデータに変換するアナログ／デジタル変換器と、
前記デジタルセンサデータを受け取り、前記期間の間の前記電流の前記値を用いて前記導電体の電気的障害を検出し、電気的障害信号を提供するプロセッサと、
プリント基板であって、前記磁束センサ、前記アナログ／デジタル変換器、および前記プロセッサを表面に支持し、該プリント基板が該磁束センサ、該アナログ／デジタル変換器、および該プロセッサを電気的に相互接続するように、はんだづけされる電気接続部を有するプリント基板と
前記電流センサが前記導電体に沿って位置決めできるように、前記磁性構造体および前記磁束センサ、前記アナログ／デジタル変換器、および前記プロセッサのついた前記プリント基板を封入するケース
とを有する複数の電流センサと、
前記複数の電流センサにより提供されるデータを結合するネットワーキングモジュールと、
前記結合されたデータの受け取りと解析と、前記識別子を使用しての前記電気的障害の監視と発見と、異常な状況の場合における警告とを行う処理モジュールと
を備える、電流監視システム。
【請求項２４】
電気的障害データを抽出して表示し、該電気的障害に応答してコマンドを開始するユーザインタフェースをさらに備えることを特徴とする、請求項２３に記載の電流監視システム。
【請求項２５】
前記電流センサのそれぞれ一つには複数の導電体が関連付けられることを特徴とする、請求項２３に記載の電流監視システム。
【請求項２６】
前記プロセッサが、前記信号から漏れ電流をさらに計算することを特徴とする、請求項２３に記載の電流監視システム。
【請求項２７】
前記磁束センサが、前記電流の波形と振幅とをさらに測定し、該波形が広範囲の周波数を含むことを特徴とする、請求項２３に記載の電流監視システム。
【請求項２８】
前記アナログ／デジタル変換器が前記プロセッサに含まれることを特徴とする、請求項２３に記載の電流監視システム。
【請求項２９】
複数の導電体を有する電気回路の電流を測定する電流センサであって、
複数のリング形磁性構造体であって、それぞれが該磁性構造体が前記導電体に沿って位置決めできる該導電体の一つを受け取り、またそれぞれが該導電体の該一つを流れる電流により発生する磁束を評価し該電流を表す信号を提供する磁束センサを受け取る空隙を有する、複数のリング形磁性構造体と、
前記複数の導電体を囲む大域的なリング形磁性構造体と、
前記複数の導電体を流れる電流により発生する磁束を評価し、該複数の導電体を流れる電流の差動読み取り値を測定する、大域的な磁束センサと
を備える、複数の導電体を有する電気回路の電流を測定する電流センサ。
【請求項３０】
前記磁束センサが、ホール効果センサであることを特徴とする、請求項２９に記載の複数の導電体を有する電気回路の電流を測定する電流センサ。
【請求項３１】
前記磁性構造体及び該磁束センサを前記導電体の周囲に保持する保持手段をさらに備えることを特徴とする、請求項２９に記載の複数の導電体を有する電気回路の電流を測定する電流センサ。
【請求項３２】
前記導電体の一つの対応する電圧をそれぞれが検出する各電圧検出器をさらに備えることを特徴とする、請求項２９に記載の複数の導電体を有する電気回路の電流を測定する電流センサ。
【請求項３３】
前記各電圧検出器は、それぞれが前記導電体の前記対応する一つを囲む半月形を有し、また該各電圧検出器はそれぞれが、電圧が該導電体の該対応する一つに存在する場合に電圧信号を発生する導体ランドを基板上に備え、該電圧信号は前記データ取得モジュールにより受け取られることを特徴とする、請求項３２に記載の複数の導電体を有する電気回路の電流を測定する電流センサ。
【請求項３４】
前記磁性構造体、前記磁束センサ、及び前記データ取得モジュールを保護するケースをさらに備え、該ケースに前記導電体が挿入されることができることを特徴とする、請求項２９に記載の複数の導電体を有する電気回路の電流を測定する電流センサ。
【請求項３５】
前記データ取得モジュールにより受け取られる読み取り値をデジタルセンサデータに変換するアナログ／デジタル変換器を備えることを特徴とする、請求項２９に記載の複数の導電体を有する電気回路の電流を測定する電流センサ。
【請求項３６】
前記デジタルセンサデータを送信する送信器をさらに備えることを特徴とする、請求項３５に記載の複数の導電体を有する電気回路の電流を測定する電流センサ。
【請求項３７】
前記大域的な磁束センサがホール効果センサであることを特徴とする、請求項２９に記載の複数の導電体を有する電気回路の電流を測定する電流センサ。
【請求項３８】
前記大域的な磁性構造体及び前記大域的な磁束センサを前記複数の磁性構造体の周囲に保持する保持手段をさらに備えることを特徴とする、請求項２９に記載の複数の導電体を有する電気回路の電流を測定する電流センサ。
【請求項３９】
前記複数の導電体が、四つの導電体を有することを特徴とする、請求項２９に記載の複数の導電体を有する電気回路の電流を測定する電流センサ。
【請求項４０】
前記四つの導電体が、線路導体三本と中性線一本であることを特徴とする、請求項３９に記載の複数の導電体を有する電気回路の電流を測定する電流センサ。
【請求項４１】
前記磁束センサからの読み取り値を受け取るデータ取得モジュールをさらに備えることを特徴とする、請求項２９に記載の複数の導電体を有する電気回路の電流を測定する電流センサ。